(57)【特許請求の範囲】
【請求項１】
イーサネット（登録商標）において、公衆無線インタフェース（ＣＰＲＩ）データフレームのフレーム番号及びフレーム位相を送信するために用いられるデータ送信方法であって、前記イーサネット（登録商標）は、第１の通信デバイス及び第２の通信デバイスを含み、前記第１の通信デバイス及び前記第２の通信デバイスの両方は、ＣＰＲＩプロトコルで動作し、前記データ送信方法は、
前記第１の通信デバイスによって、ＣＰＲＩデータフレームを選択し、選択された前記ＣＰＲＩデータフレームのフレーム番号を秒値に変換する段階と、
前記第１の通信デバイスによって、毎秒パルス信号を生成する段階であって、前記毎秒パルス信号の位相は、選択された前記ＣＰＲＩデータフレームのフレーム位相である、段階と、
前記第１の通信デバイスによって、前記毎秒パルス信号及び前記秒値に従って、タイムスタンプを生成する段階と、
前記第１の通信デバイスによって、前記タイムスタンプを保持する同期メッセージを前記第２の通信デバイスに送信し、前記第２の通信デバイスに、前記タイムスタンプに従って、選択された前記ＣＰＲＩデータフレームの前記フレーム番号及び前記フレーム位相を取得させる段階と、
を備える、方法。
【請求項２】
選択された前記ＣＰＲＩデータフレームのフレーム番号を秒値に変換する前記段階は、
選択された前記ＣＰＲＩデータフレームの前記フレーム番号を、式
【数１０】
0006388423.tif 000011
に従って、前記秒値に変換する段階を含み、ＳｅｃｏｎｄＣｏｕｎｔｅｒは、前記変換の後で取得される前記秒値であり、ｎは、選択された前記ＣＰＲＩデータフレームの前記フレーム番号であって、ｎ＝ａ×（ｋ−１００×ｍ）であり、ｋは、前記ＣＰＲＩプロトコルにおいて特定されるフレーム番号サイクルであり、ａ、ｂ、ｋ、及びｍは、正の整数であって、ｍ＜ｋ／１００、かつｂ＞ｍ／ｋである、請求項１に記載の方法。
【請求項３】
前記第１の通信デバイスは、ビルベースバンドユニット（ＢＢＵ）であり、前記第２の通信デバイスは、遠隔無線ユニット（ＲＲＵ）である、又は、
前記第１の通信デバイス及び前記第２の通信デバイスの両方は、ＢＢＵである、請求項１又は２に記載の方法。
【請求項４】
イーサネット（登録商標）において、公衆無線インタフェース（ＣＰＲＩ）データフレームのフレーム番号及びフレーム位相を送信するために用いられるデータ送信方法であって、前記イーサネット（登録商標）は、第１の通信デバイス及び第２の通信デバイスを含み、前記第１の通信デバイス及び前記第２の通信デバイスの両方は、ＣＰＲＩプロトコルで動作し、前記データ送信方法は、
タイムスタンプを保持し、かつ、前記第１の通信デバイスによって送信される同期メッセージを、前記第２の通信デバイスによって受信する段階であって、前記タイムスタンプは、前記第１の通信デバイスによって選択されたＣＰＲＩデータフレームのフレーム番号及びフレーム位相に従って生成される、段階と、
前記第２の通信デバイスによって、前記タイムスタンプに対応する秒値及び毎秒パルス信号を決定し、前記秒値に従って、選択された前記ＣＰＲＩデータフレームの前記フレーム番号を決定し、前記毎秒パルス信号に従って、選択された前記ＣＰＲＩデータフレームの前記フレーム位相を決定する段階と、
を備える方法。
【請求項５】
前記秒値に従って、選択された前記ＣＰＲＩデータフレームの前記フレーム番号を決定する前記段階は、
式ｎ＝（ＳｅｃｏｎｄＣｏｕｎｔｅｒ×１００）Ｍｏｄ（ｋ）を用いて、前記第１の通信デバイスによって選択された前記ＣＰＲＩデータフレームの前記フレーム番号を算出する段階を含み、
Ｍｏｄは、剰余演算符号であり、ｎは、前記第１の通信デバイスによって選択された前記ＣＰＲＩデータフレームの前記フレーム番号であり、ＳｅｃｏｎｄＣｏｕｎｔｅｒは、前記秒値を表し、ｋは、前記ＣＰＲＩプロトコルにおいて特定されるフレーム番号サイクルを表す、請求項４に記載の方法。
【請求項６】
前記タイムスタンプによって示される時刻ｔ１を記録し、前記同期メッセージを受信した時刻ｔ２を記録する段階と、
前記第１の通信デバイスに遅延要求メッセージを送信し、前記遅延要求メッセージを送信した時刻ｔ３を記録する段階と、
前記第１の通信デバイスによって返信された遅延応答メッセージを受信し、前記第１の通信デバイスによって前記遅延要求メッセージを受信した時刻ｔ４を記録する段階であって、前記遅延応答メッセージは、前記時刻ｔ４を保持する、段階と、
前記時刻ｔ１、ｔ２、ｔ３、及びｔ４に従って、タイムオフセットを算出し、前記タイムオフセットに従って、前記第１の通信デバイスと同期するように、前記第２の通信デバイスのローカルクロックを調整する段階と、
をさらに備える、請求項４又は５に記載の方法。
【請求項７】
イーサネット（登録商標）において用いられる通信デバイスであって、前記イーサネット（登録商標）は、前記通信デバイス及び他の通信デバイスを含み、前記通信デバイス及び前記他の通信デバイスの両方は、公衆無線インタフェース（ＣＰＲＩ）プロトコルで動作し、前記通信デバイスは、
ＣＰＲＩデータフレームを選択し、選択された前記ＣＰＲＩデータフレームのフレーム番号を秒値に変換し、さらに、同期メッセージを生成するプロセッサと、
毎秒パルス信号を生成する信号生成器であって、前記毎秒パルス信号の位相は、選択された前記ＣＰＲＩデータフレームのフレーム位相である、信号生成器と、
前記毎秒パルス信号及び前記秒値に従って、タイムスタンプを生成し、前記同期メッセージに前記タイムスタンプを追加するタイムスタンプ生成回路と、
前記タイムスタンプを保持する前記同期メッセージを前記他の通信デバイスに送信し、前記他の通信デバイスに、前記タイムスタンプに従って、選択された前記ＣＰＲＩデータフレームの前記フレーム番号及び前記フレーム位相を取得させる送信器と、
を備える通信デバイス。
【請求項８】
前記プロセッサは、具体的には、式
【数１１】
0006388423.tif 000012
に従って、選択された前記ＣＰＲＩデータフレームの前記フレーム番号を前記秒値に変換し、ＳｅｃｏｎｄＣｏｕｎｔｅｒは、変換後に取得される前記秒値であり、ｎは、選択された前記ＣＰＲＩデータフレームの前記フレーム番号であって、ｎ＝ａ×（ｋ−１００×ｍ）であり、ｋは、前記ＣＰＲＩプロトコルにおいて特定されるフレーム番号サイクルであり、ａ、ｂ、ｋ、及びｍは、正の整数であって、ｍ＜ｋ／１００、かつｂ＞ｍ／ｋである、請求項７に記載の通信デバイス。
【請求項９】
前記通信デバイスは、ビルベースバンドユニット（ＢＢＵ）であり、前記他の通信デバイスは、遠隔無線ユニット（ＲＲＵ）である、又は、
前記通信デバイス及び前記他の通信デバイスの両方は、ＢＢＵである、請求項７又は８に記載の通信デバイス。
【請求項１０】
イーサネット（登録商標）において用いられる通信デバイスであって、前記イーサネット（登録商標）は、前記通信デバイス及び他の通信デバイスを含み、前記通信デバイス及び前記他の通信デバイスの両方は、公衆無線インタフェース（ＣＰＲＩ）プロトコルで動作し、前記通信デバイスは、
タイムスタンプを保持し、かつ、前記他の通信デバイスによって送信される同期メッセージを受信する受信器であって、前記タイムスタンプは、前記他の通信デバイスによって選択されたＣＰＲＩデータフレームのフレーム番号及びフレーム位相に従って生成される、受信器と、
前記タイムスタンプに対応する秒値及び毎秒パルス信号を決定し、前記秒値に従って、選択された前記ＣＰＲＩデータフレームの前記フレーム番号を復元し、前記毎秒パルス信号に従って、選択された前記ＣＰＲＩデータフレームの前記フレーム位相を決定するプロセッサと、
を備える通信デバイス。
【請求項１１】
前記プロセッサは、具体的には、式ｎ＝（ＳｅｃｏｎｄＣｏｕｎｔｅｒ×１００）Ｍｏｄ（ｋ）を用いて、前記他の通信デバイスによって選択された前記ＣＰＲＩデータフレームの前記フレーム番号を算出し、Ｍｏｄは、剰余演算符号であり、ｎは、前記他の通信デバイスによって選択された前記ＣＰＲＩデータフレームの前記フレーム番号であり、ＳｅｃｏｎｄＣｏｕｎｔｅｒは、前記秒値を表し、ｋは、前記ＣＰＲＩプロトコルにおいて特定されるフレーム番号サイクルを表す、請求項１０に記載の通信デバイス。
【請求項１２】
送信器及びメモリをさらに備え、
前記送信器は、前記他の通信デバイスに遅延要求メッセージを送信し、
前記受信器は、さらに、前記他の通信デバイスによって返信された遅延応答メッセージを受信し、前記遅延応答メッセージは、前記他の通信デバイスによって前記遅延要求メッセージを受信した時刻ｔ４を保持し、
前記メモリは、前記タイムスタンプによって示される時刻ｔ１を記録し、前記同期メッセージを受信した時刻ｔ２を記録し、前記遅延要求メッセージを送信した時刻ｔ３を記録し、前記遅延応答メッセージにおいて保持される前記時刻ｔ４を記録し、
前記プロセッサは、さらに、前記時刻ｔ１、ｔ２、ｔ３、及びｔ４に従って、タイムオフセットを算出し、前記タイムオフセットに従って、前記他の通信デバイスと同期するように、前記通信デバイスのローカルクロックを調整する、
請求項１０又は１１に記載の通信デバイス。
【請求項１３】
イーサネット（登録商標）通信システムであって、第１の通信デバイス及び第２の通信デバイスを備え、前記第１の通信デバイス及び前記第２の通信デバイスの両方は、公衆無線インタフェース（ＣＰＲＩ）プロトコルで動作し、前記第１の通信デバイスは、請求項７から９のいずれか１項に記載の通信デバイスであり、前記第２の通信デバイスは、請求項１０から１２のいずれか１項に記載の通信デバイスである、システム。
【発明の詳細な説明】
【技術分野】
【０００１】
本願は、２０１４年１１月２０日に中国特許庁に出願された、発明の名称を「データ送信方法、通信デバイス、及び通信システム」とする特許出願第２０１４１０６６８１６４．１号に対する優先権を主張する。これは、その全体において、参照により本明細書に組み込まれる。本発明は、通信技術分野に関し、具体的には、データ送信方法、通信デバイス、及び通信システムに関する。
【背景技術】
【０００２】
公衆無線インタフェース（Ｃｏｍｍｏｎ  Ｐｕｂｌｉｃ  Ｒａｄｉｏ  Ｉｎｔｅｒｆａｃｅ、ＣＰＲＩ）プロトコルは、無線機器制御（Ｒａｄｉｏ  Ｅｑｕｉｐｍｅｎｔ  Ｃｏｎｔｒｏｌ、ＲＥＣ）及び無線機器（Ｒａｄｉｏ  Ｅｑｕｉｐｍｅｎｔ、ＲＥ）のような内部無線基地局デバイス間におけるインタフェースのための仕様として用いられる。
【０００３】
ＲＥＣ及びＲＥのような内部無線基地局デバイスは、通常、ポイントツーポイント直接接続方式で接続される。既存のＣＰＲＩプロトコルは、具体的には、ポイントツーポイント直接接続方式を対象としており、物理層は、データ送信の厳密なタイミング関係を保証する必要がある。
【０００４】
通信ネットワークの開発要件を満たすべく、いくつかのシナリオにおいて、ＲＥＣ及びＲＥのようなデバイスは、イーサネット（登録商標）技術を用いることによって接続される必要がある。従来技術では、イーサネット（登録商標）において、ＣＰＲＩデータフレームのフレーム番号及びフレーム位相は、送信不可能である。従って、内部無線基地局デバイス間におけるデータ送信のタイミング関係は、保証不可能である。
【発明の概要】
【０００５】
本発明の実施形態は、データ送信方法、通信デバイス、及び通信システムを提供し、これにより、イーサネット（登録商標）において、ＣＰＲＩデータフレームのフレーム番号及びフレーム位相を送信する。
【０００６】
本発明の第１の態様は、データ送信方法を提供する。方法は、イーサネット（登録商標）において、ＣＰＲＩデータフレームのフレーム番号及びフレーム位相を送信するために用いられる。イーサネット（登録商標）は、第１の通信デバイス及び第２の通信デバイスを含む。第１の通信デバイス及び第２の通信デバイスの両方は、ＣＰＲＩプロトコルで動作する。方法は、第１の通信デバイスによって、ＣＰＲＩデータフレームを選択し、選択されたＣＰＲＩデータフレームのフレーム番号を秒値に変換する段階と、毎秒パルス信号を生成する段階であって、毎秒パルス信号の位相は、選択されたＣＰＲＩデータフレームのフレーム位相である、段階と、毎秒パルス信号及び秒値に従って、タイムスタンプを生成する段階と、タイムスタンプを保持する同期メッセージを第２の通信デバイスに送信し、第２の通信デバイスに、タイムスタンプに従って、選択されたＣＰＲＩデータフレームのフレーム番号及びフレーム位相を取得させる段階と、を含む。
【０００７】
第１の態様に関連して、第１の可能な実装方式において、選択されたＣＰＲＩデータフレームのフレーム番号を秒値に変換する段階は、選択されたＣＰＲＩデータフレームのフレーム番号を、式
【数１】
0006388423.tif 000002
に従って、秒値に変換する段階を含む。ここで、ＳｅｃｏｎｄＣｏｕｎｔｅｒは、変換後に取得される秒値であり、ｎは、選択されたＣＰＲＩデータフレームのフレーム番号であって、ｎ＝ａ×（ｋ−１００×ｍ）であり、ｋは、ＣＰＲＩプロトコルにおいて特定されるフレーム番号サイクルであり、ａ、ｂ、ｋ、及びｍは、正の整数であって、ｍ＜ｋ／１００、かつｂ＞ｍ／ｋである。
【０００８】
第１の態様又は第１の態様の第１の可能な実装方式に関連して、第２の可能な実装方式において、方法は、第１の通信デバイスがビルベースバンドユニットＢＢＵであり、第２の通信デバイスが遠隔無線ユニットＲＲＵであること、又は、第１の通信デバイス及び第２の通信デバイスの両方がＢＢＵであることをさらに含む。
【０００９】
本発明の第２の態様は、データ送信方法を提供する。方法は、イーサネット（登録商標）において、公衆無線インタフェースＣＰＲＩデータフレームのフレーム番号及びフレーム位相を送信するために用いられる。イーサネット（登録商標）は、第１の通信デバイス及び第２の通信デバイスを含み、第１の通信デバイス及び第２の通信デバイスの両方は、ＣＰＲＩプロトコルで動作する。方法は、タイムスタンプを保持し、かつ、第１の通信デバイスによって送信される同期メッセージを、第２の通信デバイスによって受信する段階であって、タイムスタンプは、第１の通信デバイスによって選択されたＣＰＲＩデータフレームのフレーム番号及びフレーム位相に従って生成される、段階と、タイムスタンプに対応する秒値及び毎秒パルス信号を決定し、秒値に従って、選択されたＣＰＲＩデータフレームのフレーム番号を決定し、毎秒パルス信号に従って、選択されたＣＰＲＩデータフレームのフレーム位相を決定する段階と、を含む。
【００１０】
第２の態様に関連して、第１の可能な実装方式において、秒値に従って、選択されたＣＰＲＩデータフレームのフレーム番号を決定する段階は、式ｎ＝（ＳｅｃｏｎｄＣｏｕｎｔｅｒ×１００）Ｍｏｄ（ｋ）を用いて、第１の通信デバイスによって選択されたＣＰＲＩデータフレームのフレーム番号を算出する段階を含む。ここで、Ｍｏｄは、剰余演算符号であり、ｎは、第１の通信デバイスによって選択されたＣＰＲＩデータフレームのフレーム番号であり、ＳｅｃｏｎｄＣｏｕｎｔｅｒは、秒値を表し、ｋは、ＣＰＲＩプロトコルにおいて特定されるフレーム番号サイクルを表す。
【００１１】
第２の態様又は第１の態様の第２の可能な実装方式に関連して、第２の可能な実装方式において、方法は、タイムスタンプによって示される時刻ｔ１を記録し、同期メッセージを受信した時刻ｔ２を記録する段階と、第１の通信デバイスに遅延要求メッセージを送信し、遅延要求メッセージを送信した時刻ｔ３を記録する段階と、第１の通信デバイスによって返信された遅延応答メッセージを受信し、第１の通信デバイスによって遅延要求メッセージを受信した時刻ｔ４を記録する段階であって、遅延応答メッセージは、時刻ｔ４を保持する、段階と、時刻ｔ１、ｔ２、ｔ３、及びｔ４に従って、タイムオフセットを算出し、タイムオフセットに従って、第１の通信デバイスと同期するように、第２の通信デバイスのローカルクロックを調整する段階と、をさらに含む。
【００１２】
本発明の第３の態様は、通信デバイスを提供する。デバイスは、イーサネット（登録商標）において用いられる。イーサネット（登録商標）は、通信デバイス及び他の通信デバイスを含み、通信デバイス及び他の通信デバイスの両方は、公衆無線インタフェースＣＰＲＩプロトコルで動作し、通信デバイスは、ＣＰＲＩデータフレームを選択し、選択されたＣＰＲＩデータフレームのフレーム番号を秒値に変換するように構成され、同期メッセージを生成するようにさらに構成されるプロセッサと、毎秒パルス信号を生成するように構成される信号生成器であって、毎秒パルス信号の位相は、選択されたＣＰＲＩデータフレームのフレーム位相である、信号生成器と、毎秒パルス信号及び秒値に従って、タイムスタンプを生成し、同期メッセージにタイムスタンプを追加するように構成されるタイムスタンプ生成回路と、タイムスタンプを保持する同期メッセージを第２の通信デバイスに送信し、第２の通信デバイスに、タイムスタンプに従って、選択されたＣＰＲＩデータフレームのフレーム番号及びフレーム位相を取得させるように構成される送信器と、を含む。
【００１３】
第２の態様に関連して、第１の可能な実装方式において、プロセッサは、式
【数２】
0006388423.tif 000003
に従って、選択されたＣＰＲＩデータフレームのフレーム番号を秒値に変換するように具体的に構成される。ここで、ＳｅｃｏｎｄＣｏｕｎｔｅｒは、変換後に取得される秒値であり、ｎは、選択されたＣＰＲＩデータフレームのフレーム番号であって、ｎ＝ａ×（ｋ−１００×ｍ）であり、ｋは、ＣＰＲＩプロトコルにおいて特定されるフレーム番号サイクルであり、ａ、ｂ、ｋ、及びｍは、正の整数であって、ｍ＜ｋ／１００、かつｂ＞ｍ／ｋである。
【００１４】
第２の態様又は第１の態様の第１の可能な実装方式に関連して、第２の可能な実装方式において、通信デバイスは、ビルベースバンドユニットＢＢＵであり、他の通信デバイスは、遠隔無線ユニットＲＲＵである、又は、通信デバイス及び他の通信デバイスの両方は、ＢＢＵである。
【００１５】
本発明の第４の態様は、通信デバイスを提供する。デバイスは、イーサネット（登録商標）において用いられる。イーサネット（登録商標）は、通信デバイス及び他の通信デバイスを含み、通信デバイス及び他の通信デバイスの両方は、公衆無線インタフェースＣＰＲＩプロトコルで動作する。通信デバイスは、タイムスタンプを保持し、かつ、他の通信デバイスによって送信される同期メッセージを受信するように構成される受信器であって、タイムスタンプは、他の通信デバイスによって選択されたＣＰＲＩデータフレームのフレーム番号及びフレーム位相に従って生成される、受信器と、タイムスタンプに対応する秒値及び毎秒パルス信号を決定し、秒値に従って、選択されたＣＰＲＩデータフレームのフレーム番号を復元し、毎秒パルス信号に従って、選択されたＣＰＲＩデータフレームのフレーム位相を決定するように構成されるプロセッサと、を含む。
【００１６】
第４の態様に関連して、第１の可能な実装方式において、プロセッサは、式ｎ＝（ＳｅｃｏｎｄＣｏｕｎｔｅｒ×１００）Ｍｏｄ（ｋ）を用いて、他の通信デバイスによって選択されたＣＰＲＩデータフレームのフレーム番号を算出するように具体的に構成される。ここで、Ｍｏｄは、剰余演算符号であり、ｎは、他の通信デバイスによって選択されたＣＰＲＩデータフレームのフレーム番号であり、ＳｅｃｏｎｄＣｏｕｎｔｅｒは、秒値を表し、ｋは、ＣＰＲＩプロトコルにおいて特定されるフレーム番号サイクルを表す。
【００１７】
第４の態様又は第１の態様の第１の可能な実装方式に関連して、第２の可能な実装方式において、デバイスは、送信器及びメモリをさらに含む。送信器は、他の通信デバイスに遅延要求メッセージを送信するように構成され、受信器は、他の通信デバイスによって返信された遅延応答メッセージを受信するようにさらに構成され、遅延応答メッセージは、他の通信デバイスによって遅延要求メッセージを受信した時刻ｔ４を保持し、メモリは、タイムスタンプによって示される時刻ｔ１を記録し、同期メッセージを受信した時刻ｔ２を記録し、遅延要求メッセージを送信した時刻ｔ３を記録し、遅延応答メッセージにおいて保持される時刻ｔ４を記録するように構成され、プロセッサは、時刻ｔ１、ｔ２、ｔ３、及びｔ４に従って、タイムオフセットを算出し、タイムオフセットに従って、他の通信デバイスと同期するように、第２の通信デバイスのローカルクロックを調整するようにさらに構成される。
【００１８】
本発明の第５の態様は、イーサネット（登録商標）通信システムを提供する。システムは、第１の通信デバイス及び第２の通信デバイスを含み、第１の通信デバイス及び第２の通信デバイスの両方は、ＣＰＲＩプロトコルで動作する。第１の通信デバイスは、本発明の第３の態様において説明された通信デバイスであり、第２の通信デバイスは、本発明の第４の態様において説明された通信デバイスである。
【００１９】
上述の内容から、本発明の実施形態は、ＣＰＲＩデータフレームが選択され、選択されたＣＰＲＩデータフレームのフレーム番号が秒値に変換され、選択されたＣＰＲＩデータフレームのフレーム位相を毎秒パルス信号の位相として用いることによって、対応する毎秒パルス信号が生成され、タイムスタンプが、毎秒パルス信号及び秒値に従って生成され、タイムスタンプを保持する同期メッセージが送信されるという技術的解決手段を用いることが認識されよう。
【００２０】
従って、第１の通信デバイスは、フレーム番号及びフレーム位相情報を保持するタイムスタンプを第２の通信デバイスに送信してよく、第２の通信デバイスは、受信されたタイムスタンプに従って、対応ＣＰＲＩデータフレームのフレーム番号及びフレーム位相を復元してよく、これにより、イーサネット（登録商標）において、ＣＰＲＩデータフレームのフレーム番号及びフレーム位相が送信不可能であるという従来技術の技術的課題を解消する。さらに、第２の通信デバイスは、送信されたフレーム番号及びフレーム位相に基づいて、第１の通信デバイスと同期し、内部無線基地局デバイス間におけるデータ送信のタイミング関係を保証してよい。
【図面の簡単な説明】
【００２１】
本発明の実施形態における技術的解決手段をより明確に説明すべく、以下、実施形態及び従来技術の説明に必要な添付図面を簡潔に紹介する。以下の説明における添付図面が、本発明のいくつかの実施形態を示すに過ぎないことは明らかであり、当業者であれば、創造的努力なく、これらの添付図面から他の図面をさらに導出しよう。
【図１】本発明の実施形態１に係るデータ送信方法の模式図である。
【図２】時刻同期方法の模式図である。
【図３】本発明の実施形態２に係るデータ送信方法の模式図である。
【図４】本発明の実施形態２に係る他のデータ送信方法の模式図である。
【図５】本発明の実施形態３に係る通信デバイスの模式図である。
【図６ａ】本発明の実施形態４に係る通信デバイスの模式図である。
【図６ｂ】本発明の実施形態４に係る他の通信デバイスの模式図である。
【発明を実施するための形態】
【００２２】
本発明の実施形態は、イーサネット（登録商標）において、ＣＰＲＩデータフレームのフレーム番号及びフレーム位相を送信するために用いられるデータ送信方法を提供する。本発明の実施形態は、関連する通信デバイス及びシステムをさらに提供する。
【００２３】
本発明における技術的解決手段を当業者により理解せしめるべく、以下、本発明の実施形態における添付図面を参照して、本発明の実施形態における技術的解決手段を明確かつ完全に説明する。説明される実施形態は、本発明の実施形態の全てではなく、その一部に過ぎないことは明らかである。本発明の実施形態に基づいて、当業者によって、創造的努力なく得られた全ての他の実施形態は、本発明の保護範囲に属するものとする。
【００２４】
本発明の実施形態における技術的解決手段は、無線基地局内で用いられる。本発明の実施形態において、ＲＥＣ及びＲＥ、又はＲＥＣ及びＲＥＣ、又はＲＥ及びＲＥのような内部無線基地局デバイスは、イーサネット（登録商標）技術を用いることによって接続される。
【００２５】
イーサネット（登録商標）技術は、ベースバンドローカルエリアネットワークの仕様である。イーサネット（登録商標）は、ＣＳＭＡ／ＣＤ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ｄｅｔｅｃｔｉｏｎ、搬送波感知多重アクセス／衝突検出）技術を用いることによって、複数のタイプのケーブルにおいて動作する。パケットスイッチ技術に基づくイーサネット（登録商標）の物理層プロトコルは、固定されたタイムスロットサイクルを有さない。イーサネット（登録商標）における１つのデータパケットと他のデータパケットとの間の時間は、固定されていない。従って、厳密なタイミング関係は、イーサネット（登録商標）技術を用いることによるデータ送信において保証不可能である。
【００２６】
選択的に、本発明の実施形態において説明されるＲＥＣは、具体的には、ＢＢＵ（Ｂｕｉｌｄｉｎｇ  Ｂａｓｅ  ｂａｎｄ  Ｕｎｉｔ、ビルベースバンドユニット）であってよく、ＲＥは、具体的には、ＲＲＵ（Ｒｅｍｏｔｅ  Ｒａｄｉｏ  Ｕｎｉｔ、遠隔無線ユニット）であってよい。
【００２７】
本発明の実施形態において、ＲＥＣ及びＲＥデバイスの両方は、ＣＰＲＩプロトコルで動作し、インタフェース仕様として、ＣＰＲＩプロトコルを用いる。ＣＰＲＩプロトコルにおいて特定されるデータフレーム（略して、ＣＰＲＩデータフレーム）は、固定されたフレーム長（例えば、１０ミリ秒）を有し、隣接するデータフレーム間のインターバル長も、同じである。ＣＰＲＩデータフレームは、フレーム番号又はフレーム位相のような属性を有する。フレーム番号は、データフレームの番号であり、周期的である。フレーム番号サイクルは、ＣＰＲＩプロトコルにおいて定義される。フレーム位相は、フレームタイミングと称されてもよく、データフレームの開始時刻を表すために用いられる。各ＣＰＲＩデータフレームのタイムドメイン位置は、各ＣＰＲＩデータフレームのフレーム番号及びフレーム位相に従って、特定可能である。
【００２８】
本発明の実施形態において、無線基地局内におけるＲＥＣ又はＲＥのような一方のデバイスが、他方のデバイス、すなわち、対応するＲＥ又はＲＥＣにＣＰＲＩデータフレームを送信する必要がある場合、その一方のデバイスは、送信対象のＣＰＲＩデータフレームをイーサネット（登録商標）データパケットに変換し、次に、イーサネット（登録商標）接続を用いることによって、他方のデバイスにイーサネット（登録商標）データパケットを送信する必要がある。他方のデバイスは、受信されたイーサネット（登録商標）データパケットをＣＰＲＩデータフレームに再変換する。他方のデバイスは、１つ又は複数のＣＰＲＩデータフレームの１つ又は複数のフレーム番号及びフレーム位相を認識し、双方のデバイスを同期させる必要があり、取得された１つ又は複数のフレーム番号によって示される１つ又は複数のＣＰＲＩデータフレームの１つ又は複数のフレーム位相は、時刻基準として用いられる。従って、本発明の実施形態は、イーサネット（登録商標）において、ＣＰＲＩデータフレームのフレーム番号及びフレーム位相を送信するための技術的解決手段を提供する。
【００２９】
以下において、本発明の技術的解決手段は、特定の実施形態を参照して、別個に詳述される。
【００３０】
［実施形態１］
図１を参照すると、本発明の実施形態は、データ送信方法を提供する。方法は、イーサネット（登録商標）において、ＣＰＲＩデータフレームのフレーム番号及びフレーム位相を送信するために用いられる。イーサネット（登録商標）は、第１の通信デバイス及び第２の通信デバイスを含み、第１の通信デバイス及び第２の通信デバイスの両方は、ＣＰＲＩプロトコルで動作する。
【００３１】
方法は、以下の段階を含んでよい。
【００３２】
１１０．第１の通信デバイスは、ＣＰＲＩデータフレームを選択し、選択されたＣＰＲＩデータフレームのフレーム番号を秒値に変換する。
【００３３】
本発明の本実施形態において、（ＲＥＣ又はＲＥのような）第１の通信デバイス及び（ＲＥＣ又はＲＥのような）第２の通信デバイスは、イーサネット（登録商標）技術を用いることによって接続される。第１の通信デバイスが第２の通信デバイスにＣＰＲＩデータフレームを送信する必要がある場合、第１の通信デバイスは、送信対象のＣＰＲＩデータフレームをイーサネット（登録商標）データパケットに変換し、次に、イーサネット（登録商標）接続を用いることによって、第２の通信デバイスにイーサネット（登録商標）データパケットを送信する必要がある。イーサネット（登録商標）データパケットを受信した後で、第２の通信デバイスは、イーサネット（登録商標）データパケットを変換し、ＣＰＲＩデータフレームを復元する必要がある。第２の通信デバイスは、少なくとも１つのＣＰＲＩデータフレームのフレーム番号及びフレーム位相を取得し、双方のデバイスを同期させる必要がある。取得されたフレーム番号によって示されるＣＰＲＩデータフレームのフレーム位相は、時刻基準として用いられる。
【００３４】
ＣＰＲＩデータフレームのフレーム番号サイクルは、ＣＰＲＩプロトコルにおいて特定される。各サイクルのフレーム番号は、連続的に、１、２、…、ｋである。ここで、ｋは、４０９６のような正の整数である。第１の通信デバイスは、各サイクルにおいて１つのみのデータフレームのフレーム番号及びフレーム位相を第２の通信デバイスに送信する必要があり、これにより、第２の通信デバイスは、データフレームのフレーム番号及びフレーム位相に基づいて、フレーム番号サイクル全体における全てのＣＰＲＩデータフレームを特定することができる。
【００３５】
本発明の本実施形態において、ＣＰＲＩデータフレームのフレーム番号及びフレーム位相は、時刻同期技術を用いることによって送信される。フレーム番号は、フレーム番号を秒値に変換することによって送信される。本発明の本実施形態において、変換アルゴリズムは、第１の通信デバイスにおいて予め設定されてよい。第１の通信デバイスは、予め設定された変換アルゴリズムに従って、そのフレーム番号がｎであるＣＰＲＩデータフレームのようなＣＰＲＩデータフレームを予め選択してよい。ここで、ｎは、正の整数であり、フレーム番号ｎは、対応する秒値に変換される。ＣＰＲＩデータフレームをどのように選択するかは、予め設定された変換アルゴリズムに従って決定されてよい。異なる変換アルゴリズムは、異なるフレーム番号を選択する必要がある。
【００３６】
１２０．毎秒パルス信号を生成する。毎秒パルス信号の位相は、選択されたＣＰＲＩデータフレームのフレーム位相である。
【００３７】
本発明の本実施形態において、ＣＰＲＩデータフレームのフレーム位相は、毎秒パルス信号の位相に変換され、時刻同期技術を用いることによって、ＣＰＲＩデータフレームのフレーム位相を送信する。選択されたフレーム番号を秒値に変換した後で、第１の通信デバイスは、秒値に対応する毎秒パルス信号を生成してよい。毎秒パルス信号は、毎秒１回のパルス信号、すなわち、１ＰＰＳ（パルス毎秒、１ｐｐｓ＝１Ｈｚ＝１回／秒）信号である。本発明の本実施形態において、秒値に対応するＣＰＲＩデータフレームのフレーム位相は、毎秒パルス信号の位相として直接用いられる。フレーム位相は、ＣＰＲＩデータフレームの開始時刻を指す。毎秒パルス信号の位相は、毎秒パルス信号の開始時刻を指す。すなわち、毎秒パルス信号の開始時刻は、秒値に対応するフレームの開始時刻と同じである。
【００３８】
１３０．毎秒パルス信号及び秒値に従って、タイムスタンプを生成し、タイムスタンプを保持する同期メッセージを第２の通信デバイスに送信し、第２の通信デバイスに、タイムスタンプに従って、選択されたＣＰＲＩデータフレームのフレーム番号及びフレーム位相を取得させる。
【００３９】
本発明の本実施形態において、第１の通信デバイスは、時刻同期技術を用いることによって、毎秒パルス信号及び秒値に従って、タイムスタンプを生成してよい。タイムスタンプ情報は、秒値及び毎秒パルス信号の位相を保持する。秒は、単位として用いられ、タイムスタンプの整数部分は、秒値を示すために用いられ、小数部分は、毎秒パルス信号の位相を示すために用いられる。
【００４０】
例えば、第１の通信デバイスは、毎秒パルス信号に対して周波数多重化を実行し、１ＫＨｚ、１ＭＨｚ、又はこれらより高い周波数の高周波数クロック信号のような高周波数クロック信号を取得し、高周波数クロック信号を基準として用いてよい。すなわち、タイマは、ナノ秒毎に１回のような高周波数クロック信号の周波数に従って、時刻を記録する。第１の通信デバイスは、１５秒１２ナノ秒のようなタイムスタンプを生成するためのカウント値を、ランダムに選択してよい。ここで、１５秒は、秒値を示し、１２ナノ秒は、秒位相を示すために用いられてよい。秒位相は、フレーム位相である。第１の通信デバイスは、生成されたタイムスタンプを保持する同期メッセージ（Ｓｙｎｃメッセージ）を、第２の通信デバイスに送信してよい。
【００４１】
タイムスタンプを保持する同期メッセージを受信した後で、第２の通信デバイスは、タイムスタンプに対応する秒値及び毎秒パルス信号を決定し、次に、変換によって、秒値に従って、対応するフレームのフレーム番号を取得し、毎秒パルス信号に従って、ＣＰＲＩデータフレームのフレーム位相を決定することができる。
【００４２】
選択的に、本発明のいくつかの実施形態において、選択されたＣＰＲＩデータフレームのフレーム番号を秒値に変換する段階１１０は、
以下の式（１）において示される変換アルゴリズムに従って、選択されたＣＰＲＩデータフレームのフレーム番号を秒値に変換する段階を含んでよい。
【数３】
0006388423.tif 000004
ここで、ＳｅｃｏｎｄＣｏｕｎｔｅｒは、変換後に取得される秒値であり、ｎは、第１の通信デバイスによって選択されたＣＰＲＩデータフレームのフレーム番号であって、ｎ＝ａ×（ｋ−１００×ｍ）であり、ｋは、ＣＰＲＩプロトコルにおいて特定されるフレーム番号サイクルであり、ａ、ｂ、ｋ、及びｍは、正の整数であって、ｍ＜ｋ／１００、かつｂ＞ｍ／ｋである。
【００４３】
例えば、ｋ＝４０９６、ｍ＝４０、ｂ＝１、ａ＝１、及びｎ＝９６と仮定すると、これにより、取得される秒値は、
【数４】
0006388423.tif 000005
である。
【００４４】
第１の通信デバイスによって第２の通信デバイスに送信されるタイムスタンプは、４０５６秒プラス数ナノ秒（例えば、４０５６秒３７ナノ秒）である。第１の通信デバイスによって送信されたタイムスタンプを受信した後で、第２の通信デバイスは、４０５６のような対応する秒値を決定し、次に、式（２）に従って、対応するフレーム番号（第１の通信デバイスによって選択されたＣＰＲＩデータフレームのフレーム番号）を復元する。
【数５】
0006388423.tif 000006
ここで、Ｍｏｄは、剰余演算符号であり、ｎは、第１の通信デバイスによって選択されたＣＰＲＩデータフレームのフレーム番号を示し、ＳｅｃｏｎｄＣｏｕｎｔｅｒは、秒値を示し、ｋは、ＣＰＲＩプロトコルにおいて特定されるフレーム番号サイクルである。ＳｅｃｏｎｄＣｏｕｎｔｅｒ＝４０５６は、例として用いられ、フレーム番号ｎは、以下の通り算出される。
ｎ＝（４０５６×１００）Ｍｏｄ（４０９６）＝９６
【００４５】
以下、前述のアルゴリズムをさらに説明する。式（１）は、以下の通り変形されてよい。
【数６】
0006388423.tif 000007
【００４６】
前述の式から、左項
【数７】
0006388423.tif 000008
は、１００で乗算され、次に、ｋで除算され、整数１００×ａ×ｂ−ａを得て、右項
【数８】
0006388423.tif 000009
は、１００で乗算され、次に、ｋで除算され、剰余ｎを得ることが、容易に認識されよう。
【００４７】
前述の変換アルゴリズムは、本発明の例に過ぎず、他の変換アルゴリズムが、他の実装方式で用いられてよいことに留意されたい。
【００４８】
本実施形態において、第１の通信デバイスによって送信され、かつ、フレーム番号及びフレーム位相を示すために用いられるタイムスタンプを取得した後で、第２の通信デバイスは、引き続き時刻同期手続きを実行し、第２の通信デバイスと第１の通信デバイスとの間のタイムオフセットをさらに決定し、双方の通信デバイスを同期させてよい。図２を参照すると、時刻同期技術は、以下を含んでよい。
【００４９】
マスタノード（マスタ）デバイスは、ローカルクロック（マスタクロック）に従って、秒値（例えば、１５秒）及び対応する毎秒パルス信号（１ＰＰＳ信号）を生成し、毎秒パルス信号に従って、高周波数クロック信号を生成し、秒値及び毎秒パルス信号に従って、かつ、基準として高周波数クロック信号を用いることによって、タイムスタンプ（例えば、１５秒１０ナノ秒）を生成する。タイムスタンプは、秒値（例えば、１５秒１０ナノ秒の１５秒）及び秒位相（例えば、１５秒１０ナノ秒の１０ナノ秒）を示すために用いられてよい。秒位相は、秒値によって示される１秒の時間長の開始時刻を示すために用いられてよい。
【００５０】
マスタデバイスは、タイムスタンプを保持する同期メッセージ（Ｓｙｎｃメッセージ）を、スレーブノード（スレーブ）デバイスに送信する。タイムスタンプによって示される時刻を、ｔ１と仮定する。
【００５１】
スレーブデバイスは、同期メッセージを受信し、時刻ｔ１を取得し、同期メッセージを受信した時刻ｔ２を記録する。
【００５２】
スレーブデバイスは、次に、遅延要求（Ｄｅｌａｙ＿Ｒｅｑ）メッセージをマスタデバイスに送信し、Ｄｅｌａｙ＿Ｒｅｑメッセージを送信した時刻ｔ３を記録する。
【００５３】
マスタデバイスは、Ｄｅｌａｙ＿Ｒｅｑメッセージを受信し、Ｄｅｌａｙ＿Ｒｅｓｐメッセージを受信した時刻ｔ４を記録し、時刻ｔ４を保持する遅延応答（Ｄｅｌａｙ＿Ｒｅｓｐ）メッセージを、スレーブデバイスに返信する。
【００５４】
スレーブデバイスは、Ｄｅｌａｙ＿Ｒｅｓｐメッセージを受信し、Ｄｅｌａｙ＿Ｒｅｓｐメッセージにおいて保持される時刻ｔ４を取得する。
【００５５】
スレーブデバイスは、タイムオフセットを算出し、時刻ｔ１、ｔ２、ｔ３、及びｔ４に従って、遅延Ｄｅｌａｙを送信する。ここで、計算式は、
ｔ２−ｔ１＝Ｄｅｌａｙ＋Ｏｆｆｓｅｔ
ｔ４−ｔ３＝Ｄｅｌａｙ−Ｏｆｆｓｅｔ
である。
【００５６】
スレーブデバイスは、継続して、１つ又は複数の時刻に対して算出された１つ又は複数のタイムオフセットＯｆｆｓｅｔに従って、ローカルクロック（スレーブクロック）を調整してよい。最後に、Ｏｆｆｓｅｔは、０付近に収束し、スレーブデバイスとマスタデバイスとの間の時刻同期が実現される。
【００５７】
本発明の本実施形態において、時刻ｔ１は、第１の通信デバイスによって送信された同期メッセージにおいて保持されるタイムスタンプによって示されると仮定する。前述の方法は、段階１３０の後に、以下の段階をさらに含んでよい。第２の通信デバイスは、同期メッセージを受信した時刻ｔ２を記録する。
【００５８】
次に、第２の通信デバイスは、第１の通信デバイスに遅延要求メッセージを送信し、遅延要求メッセージを送信した時刻ｔ３を記録してよい。
【００５９】
第１の通信デバイスは、遅延要求メッセージを受信した時刻ｔ４を記録し、第２の通信デバイスに遅延応答メッセージを送信する。遅延応答メッセージは、第１の通信デバイスによって遅延要求メッセージを受信した時刻ｔ４を保持する。
【００６０】
従って、第２の通信デバイスは、時刻ｔ１、ｔ２、ｔ３、及びｔ４に従って、タイムオフセットを算出し、タイムオフセットに従って、第２の通信デバイスのローカルクロックを調整し、第１の通信デバイスと同期し、第１の通信デバイスと第２の通信デバイスとの間におけるデータ送信のタイミング関係を保証する。
【００６１】
本発明の本実施形態における前述の解決手段は、具体的には、ＲＥＣ及びＲＥのようなデバイスに実装されてよいことが理解されよう。具体的には、第１の通信デバイスは、ＲＥＣであってよく、第２の通信デバイスは、ＲＥＣ又はＲＥであってよい、又は、第１の通信デバイスは、ＲＥであってよく、第２の通信デバイスは、ＲＥＣ又はＲＥであってよい。ＲＥＣは、具体的には、ＢＢＵであってよく、ＲＥは、具体的には、ＲＲＵであってよい。
【００６２】
上述の内容から、本発明の本実施形態は、ＣＰＲＩデータフレームが選択され、選択されたＣＰＲＩデータフレームのフレーム番号が秒値に変換され、選択されたＣＰＲＩデータフレームのフレーム位相を毎秒パルス信号の位相として用いることによって、対応する毎秒パルス信号が生成され、タイムスタンプが、毎秒パルス信号及び秒値に従って生成され、タイムスタンプを保持する同期メッセージが送信されるという技術的解決手段を用いることが認識されよう。
【００６３】
従って、第１の通信デバイスは、フレーム番号及びフレーム位相情報を保持するタイムスタンプを第２の通信デバイスに送信してよく、第２の通信デバイスは、受信されたタイムスタンプに従って、対応ＣＰＲＩデータフレームのフレーム番号及び位相を復元してよく、これにより、イーサネット（登録商標）において、ＣＰＲＩデータフレームのフレーム番号及びフレーム位相が送信不可能であるという従来技術の技術的課題を解消する。さらに、第２の通信デバイスは、送信されたフレーム番号及びフレーム位相に基づいて、第１の通信デバイスと同期し、内部無線基地局デバイス間におけるデータ送信のタイミング関係を保証してよい。
【００６４】
［実施形態２］
図３を参照すると、本発明の実施形態は、他のデータ送信方法を提供する。方法は、イーサネット（登録商標）において、ＣＰＲＩデータフレームのフレーム番号及びフレーム位相を送信するために用いられる。イーサネット（登録商標）は、第１の通信デバイス及び第２の通信デバイスを含み、第１の通信デバイス及び第２の通信デバイスの両方は、ＣＰＲＩプロトコルで動作する。方法は、以下の段階を含んでよい。
【００６５】
２１０．第２の通信デバイスは、タイムスタンプを保持し、かつ、第１の通信デバイスによって送信される同期メッセージを受信する。
【００６６】
タイムスタンプは、第１の通信デバイスによって選択されたＣＰＲＩデータフレームのフレーム番号及び位相に従って生成される。詳細な説明については、実施形態１を参照されたい。
【００６７】
２２０．タイムスタンプに対応する秒値及び毎秒パルス信号を決定し、秒値に従って、選択されたＣＰＲＩデータフレームのフレーム番号を決定し、毎秒パルス信号に従って、選択されたＣＰＲＩデータフレームのフレーム位相を決定する。
【００６８】
本発明のいくつかの実施形態において、秒値に従って、選択されたＣＰＲＩデータフレームのフレーム番号を決定する段階２２０は、式ｎ＝（ＳｅｃｏｎｄＣｏｕｎｔｅｒ×１００）Ｍｏｄ（ｋ）を用いて、第１の通信デバイスによって選択されたＣＰＲＩデータフレームのフレーム番号を算出する段階を含む。ここで、Ｍｏｄは、剰余演算符号であり、ｎは、第１の通信デバイスによって選択されたＣＰＲＩデータフレームのフレーム番号であり、ＳｅｃｏｎｄＣｏｕｎｔｅｒは、秒値を示し、ｋは、ＣＰＲＩプロトコルにおいて特定されるフレーム番号サイクルである。
【００６９】
前述のとおり、第１の通信デバイスは、タイムスタンプを保持する同期メッセージを、第２の通信デバイスに送信する。すなわち、フレーム番号及びフレーム位相が送信される。続いて、時刻同期手続きが継続的に実行され、第１の通信デバイス及び第２の通信デバイスを同期し、内部無線基地局デバイス間におけるデータ送信のタイミング関係を保証してよい。
【００７０】
図４を参照すると、本発明のいくつかの実施形態において、方法は、以下の段階をさらに含む。
【００７１】
２３０．タイムスタンプによって示される時刻ｔ１を記録し、同期メッセージを受信した時刻ｔ２を記録する。
【００７２】
２４０．第１の通信デバイスに遅延要求メッセージを送信し、遅延要求メッセージを送信した時刻ｔ３を記録する。
【００７３】
２５０．第１の通信デバイスによって返信された遅延応答メッセージであって、第１の通信デバイスによって遅延要求メッセージを受信した時刻ｔ４を保持する遅延応答メッセージ受信し、時刻ｔ４を記録する。
【００７４】
２６０．時刻ｔ１、ｔ２、ｔ３、及びｔ４に従って、タイムオフセットを算出し、タイムオフセットに従って、第２の通信デバイスのローカルクロックを調整し、第１の通信デバイスと同期する。
【００７５】
本発明の本実施形態における方法のより詳細な説明は、実施形態１を参照されたい。
【００７６】
上述の内容から、本発明の本実施形態は、ＣＰＲＩデータフレームが選択され、選択されたＣＰＲＩデータフレームのフレーム番号が秒値に変換され、選択されたＣＰＲＩデータフレームのフレーム位相を毎秒パルス信号の位相として用いることによって、対応する毎秒パルス信号が生成され、タイムスタンプが、毎秒パルス信号及び秒値に従って生成され、タイムスタンプを保持する同期メッセージが送信されるという技術的解決手段を用いることが認識されよう。
【００７７】
従って、第１の通信デバイスは、フレーム番号及びフレーム位相情報を保持するタイムスタンプを第２の通信デバイスに送信してよく、第２の通信デバイスは、受信されたタイムスタンプに従って、対応ＣＰＲＩデータフレームのフレーム番号及び位相を復元してよく、これにより、イーサネット（登録商標）において、ＣＰＲＩデータフレームのフレーム番号及びフレーム位相が送信不可能であるという従来技術の技術的課題を解消する。さらに、第２の通信デバイスは、送信されたフレーム番号及びフレーム位相に基づいて、第１の通信デバイスと同期し、内部無線基地局デバイス間におけるデータ送信のタイミング関係を保証してよい。
【００７８】
本発明の実施形態における前述の解決手段をより好適に実施すべく、前述の解決手段を連携して実施するために用いられる関連装置が、以下、さらに提供される。
【００７９】
［実施形態３］
図５を参照すると、本発明の実施形態は、通信デバイス５０を提供する。デバイスは、イーサネット（登録商標）において用いられ、イーサネット（登録商標）は、通信デバイス及び他の通信デバイスを含む。通信デバイス及び他の通信デバイスの両方は、ＣＰＲＩプロトコルで動作する。通信デバイスは、
ＣＰＲＩデータフレームを選択し、選択されたＣＰＲＩデータフレームのフレーム番号を秒値に変換するように構成され、同期メッセージを生成するようにさらに構成されるプロセッサ５１０と、
毎秒パルス信号を生成するように構成される信号生成器であって、毎秒パルス信号の位相は、選択されたＣＰＲＩデータフレームのフレーム位相である、信号生成器５２０と、
毎秒パルス信号及び秒値に従って、タイムスタンプを生成し、同期メッセージにタイムスタンプを追加するように構成されるタイムスタンプ生成回路５３０と、
タイムスタンプを保持する同期メッセージを第２の通信デバイスに送信し、第２の通信デバイスに、タイムスタンプに従って、選択されたＣＰＲＩデータフレームのフレーム番号及びフレーム位相を取得させるように構成される送信器５４０と、
を含んでよい。
【００８０】
本発明のいくつかの実施形態において、プロセッサ５１０は、式
【数９】
0006388423.tif 000010
に従って、選択されたＣＰＲＩデータフレームのフレーム番号を秒値に変換するように具体的に構成される。ここで、ここで、ＳｅｃｏｎｄＣｏｕｎｔｅｒは、変換後に取得される秒値であり、ｎは、選択されたＣＰＲＩデータフレームのフレーム番号であって、ｎ＝ａ×（ｋ−１００×ｍ）であり、ｋは、ＣＰＲＩプロトコルにおいて特定されるフレーム番号サイクルであり、ａ、ｂ、ｋ、及びｍは、正の整数であって、ｍ＜ｋ／１００、かつｂ＞ｍ／ｋである。
【００８１】
本発明のいくつかの実施形態において、通信デバイスは、ビルベースバンドユニットＢＢＵであり、他の通信デバイスは、遠隔無線ユニットＲＲＵである、又は、通信デバイス及び他の通信デバイスの両方は、ＢＢＵである。
【００８２】
本発明の本実施形態における通信デバイスの機能モジュールの機能は、具体的には、前述された方法の実施形態における方法に従って、実装されてよいことが理解されよう。機能の特定の実装プロセスについては、前述された方法の実施形態の関連する説明を参照されたい。詳細は、本明細書において再度説明されない。
【００８３】
上述の内容から、本発明の本実施形態は、ＣＰＲＩデータフレームが選択され、選択されたＣＰＲＩデータフレームのフレーム番号が秒値に変換され、選択されたＣＰＲＩデータフレームのフレーム位相を毎秒パルス信号の位相として用いることによって、対応する毎秒パルス信号が生成され、タイムスタンプが、毎秒パルス信号及び秒値に従って生成され、タイムスタンプを保持する同期メッセージが送信されるという技術的解決手段を用いることが認識されよう。
【００８４】
従って、第１の通信デバイスは、フレーム番号及びフレーム位相情報を保持するタイムスタンプを第２の通信デバイスに送信してよく、第２の通信デバイスは、受信されたタイムスタンプに従って、対応ＣＰＲＩデータフレームのフレーム番号及び位相を復元してよく、これにより、イーサネット（登録商標）において、ＣＰＲＩデータフレームのフレーム番号及びフレーム位相が送信不可能であるという従来技術の技術的課題を解消する。さらに、第２の通信デバイスは、送信されたフレーム番号及びフレーム位相に基づいて、第１の通信デバイスと同期し、内部無線基地局デバイス間におけるデータ送信のタイミング関係を保証してよい。
【００８５】
［実施形態４］
図６ａを参照すると、本発明の実施形態は、通信デバイス６０を提供する。デバイスは、イーサネット（登録商標）において用いられ、イーサネット（登録商標）は、通信デバイス及び他の通信デバイスを含む。通信デバイス及び他の通信デバイスの両方は、公衆無線インタフェースＣＰＲＩプロトコルで動作する。通信デバイスは、
タイムスタンプを保持し、かつ、他の通信デバイスによって送信される同期メッセージを受信するように構成される受信器６１０であって、タイムスタンプは、他の通信デバイスによって選択されたＣＰＲＩデータフレームのフレーム番号及びフレーム位相に従って生成される、受信器６１０と、
タイムスタンプに対応する秒値及び毎秒パルス信号を決定し、秒値に従って、選択されたＣＰＲＩデータフレームのフレーム番号を復元し、毎秒パルス信号に従って、選択されたＣＰＲＩデータフレームのフレーム位相を決定するように構成されるプロセッサ６２０と、
を含んでよい。
【００８６】
本発明のいくつかの実施形態において、プロセッサ６２０は、式ｎ＝（ＳｅｃｏｎｄＣｏｕｎｔｅｒ×１００）Ｍｏｄ（ｋ）を用いて、他の通信デバイスによって選択されたＣＰＲＩデータフレームのフレーム番号を算出するように具体的に構成され、Ｍｏｄは、剰余演算符号であり、ｎは、他の通信デバイスによって選択されたＣＰＲＩデータフレームのフレーム番号であり、ＳｅｃｏｎｄＣｏｕｎｔｅｒは、秒値を表し、ｋは、ＣＰＲＩプロトコルにおいて特定されるフレーム番号サイクルを表す。
【００８７】
図６ｂを参照すると、本発明のいくつかの実施形態において、通信デバイスは、送信器６３０及びメモリ６４０をさらに含んでよい。
【００８８】
送信器６３０は、他の通信デバイスに、遅延要求メッセージを送信するように構成される。
【００８９】
受信器６１０は、他の通信デバイスによって返信された遅延応答メッセージを受信するようにさらに構成され、遅延応答メッセージは、他の通信デバイスによって遅延要求メッセージを受信した時刻ｔ４を保持する。
【００９０】
メモリ６４０は、タイムスタンプによって示される時刻ｔ１を記録し、同期メッセージを受信した時刻ｔ２を記録し、遅延要求メッセージを送信した時刻ｔ３を記録し、遅延応答メッセージにおいて保持される時刻ｔ４を記録するように構成される。
【００９１】
プロセッサ６２０は、時刻ｔ１、ｔ２、ｔ３、及びｔ４に従って、タイムオフセットを算出し、タイムオフセットに従って、第２の通信デバイスのローカルクロックを調整し、他の通信デバイスと同期するようにさらに構成される。
【００９２】
本発明の本実施形態における通信デバイスは、ＲＥＣデバイス又はＲＥデバイスであってよい。
【００９３】
本発明の本実施形態における通信デバイスの機能モジュールの機能は、具体的には、前述された方法の実施形態における方法に従って、実装されてよいことが理解されよう。機能の特定の実装プロセスについては、前述された方法の実施形態の関連する説明を参照されたい。詳細は、本明細書において再度説明されない。
【００９４】
上述の内容から、本発明の本実施形態は、ＣＰＲＩデータフレームが選択され、選択されたＣＰＲＩデータフレームのフレーム番号が秒値に変換され、選択されたＣＰＲＩデータフレームのフレーム位相を毎秒パルス信号の位相として用いることによって、対応する毎秒パルス信号が生成され、タイムスタンプが、毎秒パルス信号及び秒値に従って生成され、タイムスタンプを保持する同期メッセージが送信されるという技術的解決手段を用いることが認識されよう。
【００９５】
従って、第１の通信デバイスは、フレーム番号及びフレーム位相情報を保持するタイムスタンプを第２の通信デバイスに送信してよく、第２の通信デバイスは、受信されたタイムスタンプに従って、対応ＣＰＲＩデータフレームのフレーム番号及び位相を復元してよく、これにより、イーサネット（登録商標）において、ＣＰＲＩデータフレームのフレーム番号及びフレーム位相が送信不可能であるという従来技術の技術的課題を解消する。さらに、第２の通信デバイスは、送信されたフレーム番号及びフレーム位相に基づいて、第１の通信デバイスと同期し、内部無線基地局デバイス間におけるデータ送信のタイミング関係を保証してよい。
【００９６】
本発明の実施形態は、コンピュータ記憶媒体をさらに提供する。コンピュータ記憶媒体は、プログラムを格納することができ、プログラムは、前述された方法の実施形態において記録された、イーサネット（登録商標）においてフレーム情報を送信するための方法におけるいくつか又は全ての段階を実行する。
【００９７】
本発明の実施形態は、イーサネット（登録商標）システムをさらに提供する。システムは、第１の通信デバイス及び第２の通信デバイスを含む。第１の通信デバイス及び第２の通信デバイスの両方は、ＣＰＲＩプロトコルで動作する。第１の通信デバイスは、本発明の実施形態３において説明された通信デバイスであり、第２の通信デバイスは、本発明の実施形態４において説明された通信デバイスである。
【００９８】
前述の実施形態において、各実施形態の説明は、それぞれの焦点を有する。実施形態において詳述されない部分については、他の実施形態における関連する説明を参照されたい。
【００９９】
説明の容易化のために、前述された方法の実施形態は、一連の動作の組み合わせとして説明されていることに留意されたい。しかしながら、いくつかの段階は、本発明に従って、他の順序で実行されても同時に実行されてもよいので、当業者であれば、本発明が説明された動作の順序に限定されるものではないことを理解しよう。さらに、当業者であれば、本明細書において説明された全ての実施形態が、実施形態の例であり、関連する動作及びモジュールは、本発明にとって必ずしも必須ではないことをも理解しよう。
【０１００】
当業者であれば、実施形態における方法の段階の全て又は一部が、関連するハードウェアに命令するプログラムによって実装可能であることを理解しよう。プログラムは、コンピュータ可読記憶媒体に格納されてよい。記憶媒体は、ＲＯＭ、ＲＡＭ、磁気ディスク、又は光ディスクを含んでよい。
【０１０１】
前述のように、本発明の実施形態において提供されるデータ送信方法及び通信デバイスを詳細に説明した。本明細書において、具体例は、本発明の原則及び実装方式を説明するために用いられ、実施形態の説明は、本発明の方法及び核となる概念への理解を補助することのみが意図されている。さらに、当業者であれば、本発明の概念に基づいて、特定の実装方式及び適用範囲に対して変形を加えることができよう。従って、本明細書の内容は、本発明に対する限定として解釈されてはならない。
【図１】
0006388423.tif 000013
【図２】
0006388423.tif 000014
【図３】
0006388423.tif 000015
【図４】
0006388423.tif 000016
【図５】
0006388423.tif 000017
【図６ａ】
0006388423.tif 000018
【図６ｂ】
0006388423.tif 000019